【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
運動動作に関連した物理的または生理学的データを検出するよう構成された、検出装置；
運動動作データを送信するよう構成された、該検出装置と連絡しているデータ転送システムであって、該運動動作データが、該物理的もしくは生理学的データの少なくとも一部、または該物理的もしくは生理学的データの該少なくとも一部から少なくとも部分的に導き出されたデータに基づく、運動選手の動作と関連した測定情報を含む、データ転送システム；ならびに、
該検出装置および該データ転送システムとは分離した物理的構成要素である、ハウジングを有する電子インターフェース装置であって、そのハウジング内に、
該運動動作データを受信するよう構成された、該データ転送システムとワイヤレスに連絡している入力システム、および、
該運動動作中にポータブル電子装置の入力ポートに解除可能に直接結合し物理的に接触するよう構成された少なくとも一つの接続要素を有し、該少なくとも一つの接続要素を介して、該ポータブル電子装置に該運動動作データの少なくとも一部を含むディスプレイデータを提供するように適応された、出力システムを含む、電子インターフェース装置
を含む、運動動作監視システム。
【請求項２】
該検出装置が、該運動動作中にユーザの衣類、履物、または身体に取り付けられるように構成されている、請求項1記載の運動動作監視システム。
【請求項３】
該運動動作に関連した物理的または生理学的データを検出するように構成された、第二の検出装置であって、該第二の検出装置によって検出された物理的または生理学的データは該検出装置によって検出された物理的または生理学的データとは異なっている、第二の検出装置；および、
第二の運動動作データを送信するよう構成された、該第二の検出装置と連絡している第二のデータ転送システムであって、該第二の運動動作データが、該第二の検出装置によって検出された物理的もしくは生理学的データの少なくとも一部、または該第二の検出装置によって検出された物理的もしくは生理学的データの該少なくとも一部から少なくとも部分的に導き出されたデータに基づく、運動選手の動作と関連した測定情報を含む、第二のデータ転送システムをさらに含み、
該電子インターフェース装置の該入力システムが該第二のデータ転送システムと連絡している、
請求項1記載の運動動作監視システム。
【請求項４】
該検出装置によって検出された物理的または生理学的データが：心拍数データ；体温データ；血圧データ；水分レベルデータ；およびEKGデータの少なくとも一つを含み；かつ、
該第二の検出装置によって検出された物理的または生理学的データが：ステップ回数データ；GPSデータ；ステップ衝撃力データ；ジャンプ高さデータ；ユーザ速度データ；およびユーザ距離データの少なくとも一つを含む、請求項3記載の運動動作監視システム。
【請求項５】
該第二の検出装置が該電子インターフェース装置のハウジング内に配置される、請求項3記載の運動動作監視システム。
【請求項６】
該検出装置が運動用具に実装されている、請求項5記載の運動動作監視システム。
【請求項７】
該運動動作データが、該電子インターフェース装置内に含まれるメモリに格納される、請求項1記載の運動動作監視システム。
【請求項８】
該電子インターフェース装置内に含まれる該メモリに格納された該運動動作データが、パーソナルコンピュータに送信されるように構成される、請求項7記載の運動動作監視システム。
【請求項９】
該電子インターフェース装置がユーザ入力システムを含む、請求項1記載の運動動作監視システム。
【請求項１０】
該電子インターフェース装置の該ユーザ入力システムが：ボタン；音声コマンド入力システム；スタイラス入力コマンドシステム；タッチスクリーン入力コマンドシステム；スライドシステム；およびスイッチシステムの少なくとも一つを含む、請求項9記載の運動動作監視システム。
【請求項１１】
運動動作に関連した物理的または生理学的データを検出するよう構成された、検出装置；
該検出装置とは分離した物理的構成要素である、該検出装置から運動動作データを受信するように構成された、電子インターフェース装置であって、該運動動作データが運動選手の動作と関連した測定情報を含み、該電子インターフェース装置がハウジングを含みかつそのハウジング内に、
該検出装置とワイヤレスに連絡しており、かつ、該検出装置から該運動動作データを受信するよう適応された、入力システム、および
該運動動作中にポータブルディスプレイ装置に解除可能に物理的に直接結合するよう構成された少なくとも一つの接続要素を有する出力システムを含む、
電子インターフェース装置；ならびに、
ポータブルディスプレイ装置を含み、
該ポータブルディスプレイ装置は、該少なくとも一つの接続要素に結合するとき、該出力システムは、該運動動作データを含むディスプレイデータを該ポータブルディスプレイ装置に提供するよう構成され、該ディスプレイデータは、該運動動作データの少なくとも一部、または該運動動作データの該少なくとも一部から少なくとも部分的に導き出されたデータに基づく、該ディスプレイ装置上に表示されるリアルタイム運動動作データを含む、運動動作監視システム。
【請求項１２】
該検出装置が、該運動動作中にユーザの衣類、履物、または身体に取り付けられるように構成されている、請求項11記載の運動動作監視システム。
【請求項１３】
該運動動作データが、該ポータブルディスプレイ装置内に含まれるメモリに格納される、請求項11記載の運動動作監視システム。
【請求項１４】
該ポータブルディスプレイ装置内に含まれる該メモリに格納された該運動動作データが、パーソナルコンピュータに送信されるように構成される、請求項13記載の運動動作監視システム。
【請求項１５】
該ポータブルディスプレイ装置が処理システムを含み、該ポータブルディスプレイ装置の該処理システムが該電子インターフェース装置の稼働を制御するために使用される、請求項11記載の運動動作監視システム。
【請求項１６】
該ポータブルディスプレイ装置の該処理システムにより制御される該電子インターフェース装置の稼働が：データ転送、データ格納、ユーザとのインターフェーシング、データ要求、またはデータリクエストの少なくとも一つを含む、請求項15記載の運動動作監視システム。
【請求項１７】
該ポータブルディスプレイ装置が電源を含み、該電子インターフェース装置が該ポータブルディスプレイ装置の該電源から電力を供給される、請求項11記載の運動動作監視システム。
【請求項１８】
該ポータブルディスプレイ装置が、該運動動作データの該少なくとも一部、または該運動動作データの該少なくとも一部から少なくとも部分的に導き出された該データを、運動選手に音声により連絡するよう構成される、請求項11記載の運動動作監視システム。
【請求項１９】
該検出装置が運動用具に実装されている、請求項11記載の運動動作監視システム。
【請求項２０】
該運動動作に関連した物理的または生理学的データを検出するように構成された、第二の検出装置であって、該第二の検出装置によって検出された物理的または生理学的データは該検出装置によって検出された物理的または生理学的データとは異なっている、第二の検出装置；および、
第二の運動動作データを送信するよう構成された、該第二の検出装置と連絡している第二のデータ転送システムであって、該第二の運動動作データが、該第二の検出装置によって検出された物理的もしくは生理学的データの少なくとも一部、または該第二の検出装置によって検出された物理的もしくは生理学的データの該少なくとも一部から少なくとも部分的に導き出されたデータに基づく、運動選手の動作と関連した測定情報を含む、第二のデータ転送システムをさらに含み、
該電子インターフェース装置の該入力システムが該第二のデータ転送システムと連絡している、請求項11記載の運動動作監視システム。